(57)【要約】【課題】水返し部材の両外端部における止水処理を容易に行うことができる浴室建具の止水構造およびこれを備えた浴室建具を提供することを課題とする。【解決手段】建具枠２の下枠３２に設けられ、脱衣室Ｂ側への排水の流入を阻止する起立位置と脱衣室床６と面一に倒れ込む倒込み位置との間で起倒自在に構成された水返し部材４６と、扉体３の吊元側下端部に設けられ、閉塞時に水返し部材４６を起立位置に移動させると共に開放時に水返し部材４６を倒込み位置に移動させる押上げ部材２６と、を備え、水返し部材４６は、扉体３に対し見込み方向の脱衣室Ｂ側であって、建具枠２の両縦枠１４の見込み幅内に配設されている。【選択図】  図３
2004339823.tif 000002
【特許請求の範囲】
【請求項１】
建具枠の下枠にその見付け方向の略全長に亘って設けられ、脱衣室側への排水の流入を阻止する起立位置と脱衣室床と面一となるように倒れ込む倒込み位置との間で起倒自在に構成された水返し部材と、
前記建具枠にヒンジを介して開閉自在に設けられた扉体の下端部に設けられ、閉塞時に前記水返し部材を起立位置に移動させると共に開放時に前記水返し部材を倒込み位置に移動させる押上げ部材と、を備え、
前記水返し部材は、前記扉体に対し見込み方向の脱衣室側であって、前記建具枠の両縦枠の見込み幅内に配設されていることを特徴とする浴室建具の止水構造。
【請求項２】
前記各縦枠には、起立位置に移動した前記水返し部材に密接して、前記水返し部材の各端部と前記各縦枠との間をシールする端部シール部材が設けられていることを特徴とする請求項１に記載の浴室建具の止水構造。
【請求項３】
前記押上げ部材は、扉体の吊元側下端部に設けられていることを特徴とする請求項１または２に記載の浴室建具の止水構造。
【請求項４】
前記水返し部材の上面には、前記水返し部材に先行して前記押上げ部材に係合し、前記水返し部材の起立位置への移動を補完する起立ガイドが設けられていることを特徴とする請求項１、２または３に記載の浴室建具の止水構造。
【請求項５】
前記押上げ部材の先端部には、先下がりに傾斜したしゃくり面を有し、
前記起立ガイドは、前記しゃくり面に係合する上部被しゃくり面を有し、前記水返し部材は、前記しゃくり面に係合する下部被しゃくり面を有し、
前記上部被しゃくり面および前記下部被しゃくり面は面一に配設されていることを特徴とする請求項４に記載の浴室建具の止水構造。
【請求項６】
前記ヒンジは、グラビティヒンジで構成されていることを特徴とする請求項１ないし５のいずれかに記載の浴室建具の止水構造。
【請求項７】
前記水返し部材を、倒込み位置に向かって付勢するばねを備えていることを特徴とする請求項１ないし６のいずれかに記載の浴室建具の止水構造。
【請求項８】
請求項１ないし７のいずれかに記載の浴室建具の止水構造を備えたことを特徴とする浴室建具。
【発明の詳細な説明】
【０００１】
【発明の属する技術分野】
本発明は、浴室の出入口として設けられる浴室ドアや浴室折戸等の浴室建具の止水構造およびこれを備えた浴室建具に関するものである。
【０００２】
【従来の技術】
従来、この種の浴室建具の止水構造として、浴室ドアの扉体の戸先側下部に設けた押上げ部材と、ドア枠の下枠に起倒自在に設けた水返し部材と、で構成したものが知られている（例えば、特許文献１参照）。この場合、下枠は、水返し部材を設けるべく脱衣室側に大きく延設されると共に、脱衣室床を押さえる見切り片が、水返し部材を設ける下枠本体より一段高く形成されている。すなわち、下枠本体と見切り片との間には段部が形成され、この段部に形成した凹部位に水返し部材の基部が係合し、下枠本体に載置された水返し部材は、この凹部位を中心に起倒（回動）するようになっている。一方、押上げ部材は、断面直角三角形を為しており、その傾斜面が水返し部材の先端下側にもぐり込むようにしてこれに係脱する。
倒込み状態の水返し部材は、上面が見切り片と面一になるように下枠本体上に横臥しており、この状態から扉体を閉塞してゆくと、扉体に設けた押上げ部材の先端部が水返し部材と下枠本体との間に挿入され（潜り込む）、続いて押上げ部材の傾斜面が水返し部材をしゃくり上げるようにしてこれを斜め起立姿勢に回動させる。また、この閉塞状態から扉体を開放してゆくと、水返し部材から押上げ部材が引き抜かれてゆき、水返し部材は自重により元の倒込み姿勢となる。
【０００３】
【特許文献１】
特開平１０−３０３７８号公報（第２頁、図１および図２）
【０００４】
【発明が解決しようとする課題】
ところで、一般的な建物では、脱衣室の１の内壁に隣接して浴室が設けられ、この内壁の一部に、浴室出入り口を構成する建具が設けられるようになっている。このため、上記従来の浴室建具のように、水返し部材を設けた分、下枠が脱衣室側に突出（延設）していると、脱衣室床の浴室側に凹凸が生じ、根太の配置等を含め床張り作業が煩雑になる問題がある。
また、水返し部材（起立状態）の外端部から排水が漏れないように、水返し部材の外端部に接するように止水用ブロック等を設ける必要があるが、特に、側壁の無い側に設ける止水用ブロックは、脱衣室の床面に突出することになり、極めて邪魔なものとなってしまう問題があった。
【０００５】
本発明は、水返し部材の両外端部における止水処理を容易に行うことができる浴室建具の止水構造およびこれを備えた浴室建具を提供することを課題としている。
【０００６】
【課題を解決するための手段】
本発明の浴室建具の止水構造は、建具枠の下枠にその見付け方向の略全長に亘って設けられ、脱衣室側への排水の流入を阻止する起立位置と脱衣室床と面一となるように倒れ込む倒込み位置との間で起倒自在に構成された水返し部材と、建具枠にヒンジを介して開閉自在に設けられた扉体の吊元側下端部に設けられ、閉塞時に水返し部材を起立位置に移動させると共に開放時に水返し部材を倒込み位置に移動させる押上げ部材と、を備え、水返し部材は、扉体に対し見込み方向の脱衣室側であって、建具枠の両縦枠の見込み幅内に配設されていることを特徴とする。
【０００７】
この場合、各縦枠には、起立位置に移動した水返し部材に密接して、水返し部材の各端部と各縦枠との間をシールする端部シール部材が設けられていることが、好ましい。
【０００８】
これらの構成によれば、水返し部材が、脱衣室側にあって両縦枠の見込み幅内に配設されているため、起立位置にある水返し部材の両外端部の止水処理を縦枠との間で行うことができる。このため、縦枠に止水処理用のブロックなどを設けても、この止水部材が脱衣室内に突出することがない。
具体的には、水返し部材の各端部と各縦枠との間に、この両者間をシールする端部シール部材を設けることができる。これにより、水返し部材の端部からの脱衣室側への漏水を有効に防止することができると共に、端部シール部材を、脱衣室側に突出することなく、縦枠の内側見込み面に設けることができる。
【０００９】
これらの場合、押上げ部材は、扉体の吊元側下端部に設けられていることが、好ましい。
【００１０】
この構成によれば、人の出入りに対し、押上げ部材が邪魔になることがない。
【００１１】
これらの場合、水返し部材の上面には、水返し部材に先行して押上げ部材に係合し、水返し部材の起立位置への移動を補完する起立ガイドが設けられていることが、好ましい。
【００１２】
この構成によれば、扉体の閉塞動作に伴って、先に押上げ部材に起立ガイドが係合して水返し部材が押し上げられてゆく。このため、複雑な機構を用いることなく、起立ガイドを介して押上げ部材により水返し部材を直接的に起倒させることができる。また、倒込み位置にある水返し部材が下枠と面一に配設されていても、水返し部材を確実に起立させることができる。すなわち、水返し部材における起倒動作の確実性を填補しつつ、下枠に対し水返し部材を段差無く設置することができる。
【００１３】
この場合、押上げ部材の先端部には、先下がりに傾斜したしゃくり面を有し、起立ガイドは、しゃくり面に係合する上部被しゃくり面を有し、水返し部材は、しゃくり面に係合する下部被しゃくり面を有し、上部被しゃくり面および下部被しゃくり面は面一に配設されていることが、好ましい。
【００１４】
この構成によれば、押上げ部材のしゃくり面を、起立ガイドの上部被しゃくり面および水返し部材の下部被しゃくり面に係合させることで、これらの傾斜面を直動カム的に作用させることができ、押上げ部材により水返し部材を円滑に起倒させることができる。また、上部被しゃくり面および下部被しゃくり面は面一に配設されているため、起立ガイドの先端と水返し部材の先端とを一体のカム斜面となるように構成することができる。
【００１５】
これらの場合、ヒンジは、グラビティヒンジで構成されていることが、好ましい。
【００１６】
この構成によれば、扉体の閉塞動作に連動して、水返し部材（および起立ガイド）を押し上げて行く押上げ部材を、徐々に下動させることになるため、押上げ部材により水返し部材を円滑に且つ確実に起立させてゆくことができる。なお、押上げ部材は、徐々に下動しながら前進するため、上記の起立ガイドを省略し、水返し部材のこの部分に切欠き部（大きなものとなるが）を設けて対応することも可能である。
【００１７】
これらの場合、水返し部材を、倒込み位置に向かって付勢するばねを備えていることが、好ましい。
【００１８】
この構成によれば、扉体の開放動作に伴って水返し部材（および起立ガイド）から離れてゆく押上げ部材に対し、水返し部材をこれに追従するように倒れ込ませることができる。すなわち、上記のカム機構（直動カム）をこのばねにより確動的なものにすることができる。
【００１９】
本発明の浴室建具は、上記した浴室建具の止水構造を備えたことを特徴とする。
【００２０】
この構成によれば、閉塞状態の扉体から脱衣室側に排水が浸入することがあっても、水返し部材によりこれを確実に止水することができる。
【００２１】
【発明の実施の形態】
以下、添付図面を参照して、本発明の一実施形態に係る浴室建具の止水構造を浴室折戸に適用した場合について説明する。この浴室は、脱衣室との間に段差を無くしたバリアフリー設計となっており、ユニットバスで構成した浴室と脱衣室との間の出入口に、浴室折戸が取り付けられている。図１は浴室折戸の縦断面図であり、図２はその横断面図である。両図に示すように、浴室折戸１は、出入口開口部を構成する折戸枠２と、折戸枠２に開閉自在に支持された框戸である扉体３とで構成されている。
【００２２】
扉体３は、左扉体３ａと、右扉体３ｂと、これらを突き合わせた状態で中折れ自在に連結する連結部材４とで構成されており、左扉体３ａの戸尻側を中心に右扉体３ｂを折戸枠２に沿ってスライドさせながら浴室Ａ内に折り込むことで開放され、また逆の手順で閉塞される。そして、浴室Ａの浴室床を構成する防水パン５と、折戸枠２の下枠３２と、脱衣室Ｂの脱衣室床６とはほぼ面一に、すなわち段差が生じないように配設されている。
【００２３】
左右の各扉体３ａ，３ｂは、それぞれアルミニウムの形材等で構成した上框１１、下框１２および中桟１３に、縦框１４および連結縦框１５を框組みすると共に、これに樹脂製の上下のパネル体１６を組み込んで構成されている。中桟１３には、脱衣室Ｂ側に引手部１８が一体に形成され、浴室Ａ側に引手を兼ねるタオル掛け（右扉体３ｂのみ）１９が取り付けられている。右扉体３ｂの連結縦框１５にはラッチ機構２０が組み込まれ、また左扉体３ａの連結縦框１５には閉塞ロック機構２１が組み込まれている。さらに、各扉体３ａ，３ｂの縦框１４には、後述する上スライダ２４ａを上ガイドレール３６から離脱させる離脱機構２２が、それぞれ組み込まれている。
【００２４】
各扉体３ａ，３ｂの縦框１４には、下側をグラビティヒンジとした上下のピンヒンジ２３ａ，２３ｂを介して上スライダ２４ａおよび下スライダ２４ｂがそれぞれ取り付けられ、各扉体３ａ，３ｂは、この上スライダ２４ａおよび下スライダ２４ｂにより、折戸枠２の上ガイドレール３６および下ガイドレール４８に、それぞれスライド自在に支持されている。ただし、片側を開放するために、左扉体３ａの上下両スライダ２４ａ，２４ｂは、上下両ガイドレール３６，４８に固定されている。すなわち、左扉体３ａは、その開閉に際し、上下のピンヒンジ２３ａ，２３ｂを介して回動する。このため、左扉体３ａは、開放の初期動作において、徐々に上昇しながら開放され、また閉塞の終期動作において、徐々に下降しながら閉塞される。
【００２５】
また、左扉体３ａの下框１２には、後述する水返し部材４６を起倒させる押上げ部材２６が取り付けられている。より具体的には、左扉体３ａの下框１２の縦框１４側、すなわち左扉体３ａの吊元側には、下框１２下端部に脱衣室Ｂ側に突出するように押上げ部材２６が固定されている。
【００２６】
折戸枠２は、それぞれアルミニウムの形材等で構成した上枠３１、下枠３２および両縦枠３３，３３を枠組みして成り、ユニットバスに対し水密に接合されている。上枠３１は、鉛直部位３５ａと水平部位３５ｂとから成る断面略「Ｌ」字状の上枠本体３５と、水平部位３５ｂの見込み方向中間位置に下向きに突設した上ガイドレール３６と、水平部位３５ｂの脱衣室Ｂ側の端部を水平に延設した上枠見切り片３７と、水平部位３５ｂの脱衣室Ｂ側の端部から下方に延びる上シール取付部３８とで、一体に形成されている。
【００２７】
同様に、各縦枠３３は、見込み方向に長い方形の中空部を有する縦枠本体４０と、縦枠本体４０の脱衣室Ｂ側の端部を見込み方向に延設した縦枠見切り片４１と、縦枠見切り片４１の基部から内側の延びる縦シール取付部４２とで、一体に形成されている。
【００２８】
一方、下枠３２は、浴室Ａ側に中空部４４ａを有し防水パン５に隣接した支持体（防水パンの架台の一部）５ａに支持された下枠本体４４と、下枠本体４４の中空部４４ａの上面と防水パン５との間に渡してブリッジ片４５と、下枠本体４４の脱衣室Ｂ側に、下枠本体４４の上部空間を覆うように起倒自在に設けた水返し部材４６と、下枠本体４４の脱衣室Ｂ側端部に揺動自在に設けた下枠見切り片４７と、で構成されている。そして、下枠本体４４の中空部４４ａには、その浴室Ａ側上部から上方に屈曲するようにして下ガイドレール４８が形成されている。
【００２９】
下枠見切り片４７は、下枠３２において脱衣室床６にビス止め固定される部位であり、基部側を下枠本体４４に揺動自在に係合している。これにより、下枠（の上面）３２と脱衣室床６の施工上の高さの相違を吸収できるようになっている。水返し部材４６は、脱衣室Ｂ側基部を中心に回動自在に構成されており、詳細は後述するが、扉体３の開放時には水平姿勢（倒込み位置）に、閉塞時には先上がりに傾斜する起立姿勢（起立位置）との間で起倒する。そして、水平姿勢では、その先端が下ガイドレール４８の近傍まで延びており、直下に位置する下枠本体４４の排水溝部４９を閉蓋している。また、下枠見切り片４７の基部と水返し部材４６の基部との間には、両者間に掛け渡すように水平シール部材５０が設けられている。
【００３０】
このように構成された下枠３２は、ブリッジ片４５、下ガイドレール４８、水返し部材４６および下枠見切り片４７の各上面が面一に配設され、且つこれを挟んで両側に位置する防水パン５および脱衣室床６との間で、ほぼ段差の無い床構造となっている。防水パン５から流れてくる排水は、扉体３の下端に設けられ、閉塞状態で下ガイドレール４８に密接する下シール部材５２によりに止水される。一方、下シール部材５２を越えて脱衣室Ｂ側に侵入する排水は、起立状態の水返し部材４６に止水されて排水溝部４９に流入する。なお、図示しないが、排水溝部４９の下壁には、排水金具（目皿）を介して排水管が接続されており、排水溝部４９で受けた排水は、この排水管に流下する。
【００３１】
ここで、図３および図４を参照して、水切り部材４６を主体とする下枠３２廻りの止水構造について、詳細に説明する。両図に示すように、下枠３２には、浴室Ａ側に向いた水返し部材４６が起倒自在に設けられ、また左扉体３ａの下框１２の吊元側下端部には、扉体３の開閉に伴って水返し部材４６を起倒させる押上げ部材２６が設けられている。さらに、押上げ部材２６の軌道上に位置するように水返し部材４６の上面には、起立ガイド６１が設けられている。
【００３２】
上述したように、下枠本体４４の脱衣室Ｂ側の端部には、上側から水平シール部材５０が取り付けられており、水平シール部材５０は、下枠見切り片４７の基部と水返し部材４６の基部との間に掛け渡すように配設されている。すなわち、水平シール部材５０の両接触片が下枠見切り片４７の基部および回動（起倒）する水返し部材４６の基部に密接することにより、水返し部材４６と脱衣室Ｂ側とがその長手方向に亘ってシールされている。また、両縦枠３３の各縦枠見切り片４１の見付け面（内側面）には、起立状態の水返し部材４６に密接する端部シール部材６２が添設され、この両端部シール部材６２，６２により、水返し部材４６の両端部と脱衣室Ｂ側とがシールされている。
【００３３】
水返し部材４６は、基部となる軸着部７１と、軸着部７１から浴室Ａ側に延びる平板部７２と、平板部７２の先端に設けた肉厚部７３とから成り、アルミニウム形材等で一体に形成されている。水返し部材４６の全長（見付け方向の長さ）は、下枠３２の全長より幾分短く形成されており、軸着部７１の見付け方向の両外端部は、上記の端部シール部材６２から突出ように延びた左右一対のピン状支軸８６に回動自在に軸支されている。肉厚部７３の先端は、手前側に切れ込むように傾斜し、押上げ部材２６の先端が係合する下部被しゃくり面７３ａを構成している。
【００３４】
軸着部７１は、周方向の一部を切り欠いたリング状断面を有し、その内周面で両ピン状支軸８６に回動自在に支持されている。軸着部７１の下側周面には平坦に形成した当て面７１ａが形成されており、この当て面７１ａが下枠本体４４の段部４４ｂに当接されることにより、水返し部材４６の水平姿勢が維持されるようになっている。すなわち、水返し部材４６は、軸着部７１の当て面７１ａが下枠本体４４の段部４４ｂに当接して水平に位置規制される倒込み位置（水平姿勢）と、上面が両端部シール部材６２，６２に当接して斜め姿勢に位置規制される起立位置との間で、起倒する。
【００３５】
図３および図５に示すように、下框１２の下端部は、浴室側下端壁１２ａと脱衣室側下端壁１２ｂと下部隔壁１２ｃとにより下向き溝７５が形成され、この下向き溝７５に嵌合するようにして押上げ部材２６が固定されている。押上げ部材２６は、下向き溝７５の吊元側（吊元側縦框１４の近傍）に嵌合される部材取付部７７と、脱衣室側下端壁１２ｂを跨ぐ括れ部７８を存して脱衣室Ｂ側に突出する押上げヘッド７９とで一体に形成されている。押上げヘッド７９は、脱衣室Ｂ側に水平に延びる水平上面７９ａと、先下がりに大きく傾斜する先端のしゃくり面７９ｂと、先下がりに傾斜した傾斜下面７９ｃとを有している。
【００３６】
水平上面７９ａとしゃくり面７９ｂとは、アール形状の面取り部７９ｄを存して連続しており、しゃくり面７９ｂと傾斜下面７９ｃとは、所定の掬い角を為すように交わっている。水切り部材４６を起立させる場合、初期動作では水切り部材４６の先端（下部被しゃくり面７３ａ）に押上げ部材２６のしゃくり面７９ｂが接触（押圧）し、起立がすすむに従って押上げ部材２６は水切り部材４６の裏面に回り込み、ここで面取り部７９ｄが水切り部材４６の裏面に接触する。
【００３７】
起立ガイド６１は、図３および図６に示すように、水切り部材４６の肉厚部７３から軸着部７１に至る平坦な上面に固定されており、方形ブロック状の樹脂などで構成されている。起立ガイド６１の下面には、先端寄りにフック部８１が形成され、基端寄りにねじ穴（下穴）８２が形成されている。起立ガイド６１は、このフック部８１を水返し部材４６の平板部７２形成したフック孔に掛止すると共に、平板部７２を貫通してねじ孔に螺合した固定ビスにより、水返し部材４６の上面に固定されている。
【００３８】
起立ガイド６１の先端面は、上記肉厚部７３の先端面と同様に、手前側に切れ込むように傾斜しており、押上げ部材２６の先端（しゃくり面７９ｂ）が係合する上部被しゃくり面８３を構成している。水返し部材４６に起立ガイド６１を固定した状態では、起立ガイド６１の上部被しゃくり面８３と水返し部材４６の下部被しゃくり面７３ａは、連続し且つ面一に傾斜している。すなわち、起立動作の初期では、押上げ部材２６のしゃくり面７９ｂが、起立ガイド６１の上部被しゃくり面８３に係合し、両者のカム作用により起立ガイド６１および水返し部材４６が上方に移動してゆき、続いて押上げ部材２６のしゃくり面８３が、水返し部材４６の下部被しゃくり面７３ａに係合し、これらを更に上方に押し上げる。
【００３９】
各端部シール部材６２は、図３および図７に示すように、樹脂等で形成して部材本体８５と、部材本体８５の表側に突設した上記のピン状支軸８６と、起立状態の水返し部材４６の端部に接触するシールパッド８７と、シールパッド８７を介して水返し部材４６を倒込み方向に付勢するばね８８とで、構成されている。この場合、端部シール部材６２の略下半部は、縦枠見付け片４１と下枠本体４４の端部（小口）との間に挟み込まれ、略上半部は縦枠見付け片４１に添設した状態で露出している。
【００４０】
部材本体８５は、板状の本体ベース９０と、本体ベース９０の上部から見込み方向表側に大きく突出したストッパ部９１とで一体に形成されている。本体ベース９０の表側下部および裏側には、縦枠見付け片４１および下枠本体４４の端部（小口）との間に介在するシーラー９２が設けられている（表側のみ図示）。また、表側のシーラー９２の上側近傍には、本体ベース９０を貫通して延びる固定軸９３とこの固定軸９３の突出部位に装着したカラー９４とから成る上記のピン状支軸８６が設けられている。
【００４１】
ストッパ部９１は、起立姿勢の水返し部材４６の角度に合わせて傾いており、その内側の当接受け面９１ａに、シールパッド８７を介して起立した水返し部材４６の上面端部（見付け方向の端部）が当接するようになっている。また、当接受け面９１ａの奥行き方向の本体ベース９０側には、長手方向に亘って窪み部９１ｂが形成されており、この窪み部９１ｂに後述するシールパッド８７のばね取付け片９６が入り込むようになっている。
【００４２】
シールパッド８７は、ストッパ部９１の奥行き内に収まる幅に形成した方形のパッド本体９５と、パッド本体９５の本体ベース９０側上面に固着した短冊状のばね取付け片９６とを有している。一方、ばね８８は、ねじりコイルばねで構成されており、ばね取付け片９６の基部とストッパ部９１の窪み部９１ｂとの間に介設されている。すなわち、ばね８８は、窪み部９１ｂを受けとしてシールパッド８７を下方に向かって回動付勢している。このため、シールパッド８７は、水返し部材４６の端部に常に接触し且つばね８８の付勢力を受けて水返し部材４６を倒込み方向に付勢している。
【００４３】
押上げ部材２６により水返し部材４６が起立位置に回動すると、ばね取付け片９６はストッパ部９１の窪み部９１ｂ内に逃げ、パッド本体９５を介して水返し部材４６がストッパ部９１の当接受け面９１ａに当接する。このときパッド本体９５は、水返し部材４６により適宜、押し潰ぶされるため、水返し部材４６とストッパ部（端部シール部材６２）９１との間が、高いシール状態となる。
【００４４】
ここで、図８および図９を参照して、水返し部材４６の起倒動作を、順を追って説明する。開放状態の扉体３を閉塞してゆくと、閉塞の最終段階で左扉体３ａに設けた押上げ部材２６が、水返し部材４６に設けた起立ガイド６１に突き上げるように係合する。この閉塞の最終段階では、グラビティヒンジで構成した下ピンヒンジ２３ｂにより、左扉体３ａと共に押上げ部材２６は、ゆっくり下降する。すなわち、押上げ部材２６は水平に対し下向きに鋭角（角度８°程度）を為す方向に進む（実際には平面視旋回する）。
【００４５】
これにより、押上げ部材２６のしゃくり面７９ｂと、起立ガイド６１の上部しゃくり面８３および水返し部材４６の下部しゃくり面７３ａとのカム作用により、押上げ部材２６の前進がばね８８に抗して水返し部材６１を起立させてゆく。これを相対的にみると、押上げ部材２６のしゃくり面７９ｂの接触部分は、起立ガイド６１の上部しゃくり面８３をなぞるように下方（実際には斜め下方）に移動し、続いて水返し部材２６の下部しゃくり面７３ａを上から下に斜めになぞるように移動する。さらに、押上げ部材（押上げヘッド７９）２６は、水返し部材４６の肉厚部７３の下端を回り込んで水返し部材（平板部７２）４６の裏面に潜り込む。押上げ部材２６の押上げヘッド７９が水返し部材４６の裏面に潜り込むと、こんどは押上げ部材２６の面取り部７９ｄが、水返し部材４６の裏面に接触し水返し部材４６を押し上げながら旋回するようにして進んでゆく。
【００４６】
このようにして、扉体３が完全閉塞状態になると、水返し部材４６は起立位置に達し、両端に設けたシールパッド８７が水切り部材４６と端部シール部材６２のストッパ部９１との間に挟みこまれる。
【００４７】
一方、閉塞状態から扉体３を開放してゆくと、水返し部材４６の自重とばね８８のばね力とにより、水返し部材４６は、押上げ部材２６の後退に追従するようにして倒れこんでゆく。扉体３の開放動作がすすんで、押上げ部材２６と起立ガイド６１との接触状態が断たれると、同時に水返し部材４６の当て面７１ａが下枠本体４４の段部４４ｂに当接して、水返し部材４６はばね８８による押圧状態を維持しつつ倒込み位置に達する。
【００４８】
次に、図１０および図１１を参照して、本発明の浴室建具の止水構造を浴室ドアに適用した第２実施形態について説明する。この場合も浴室Ａは、脱衣室Ｂとの間に段差を無くしたバリアフリー設計となっている。図１０の縦断面図および図１１の横断面図に示すように、浴室ドア１０１は、出入口開口部を構成するドア枠１０２と、上下のピンヒンジ（上ピンヒンジ１０４ａおよび下ピンヒンジ１０４ｂ）１０４により、ドア枠１０２に開閉自在に支持された框戸である扉体１０３とで構成されている。この場合、下ピンヒンジ１０４ｂは、いわゆるグラビティヒンジで構成されており、扉体１０３は、開放の初期動作において、徐々に上昇しながら開放され、また閉塞の終期動作において、徐々に下降しながら閉塞される。
【００４９】
ドア枠１０２は、それぞれアルミニウムの形材等で形成して上枠１１１、下枠１１２および左右の両縦枠１１３，１１３を方形に枠組みして、構成されている。一方、扉体１０３は、それぞれアルミニウムの形材等で形成した上框１１５、下框１１６、戸先縦框１１７および吊元縦框１１８を方形に框組みし、これに樹脂製のパネル体１１９を組み込んで、構成されている。そして、この場合も、浴室床を構成する防水パン５と、後述するドア枠１０２の下枠１１２と、脱衣室Ｂの脱衣室床６とはほぼ面一に、すなわち段差が生じないように配設されている。
【００５０】
上ピンヒンジ１０４ａは、上枠１１１に取り付けた上固定ピース１２１ａと、吊元縦框１１８の上端部に組み込んだ上可動ピース１１２ｂとから成り、上固定ピース１２１ａのピン孔に上可動ピース１２１ｂのヒンジピンが回動自在に嵌合している。同様に、下ピンヒンジ１０４ｂは、下枠１１２に取り付けた下固定ピース１２２ａと、吊元縦框１１８の下端部に組み込んだ下可動ピース１２２ｂとから成り、下固定ピース１２２ａのピン孔に下可動ピース１２２ｂのヒンジピンが回動自在に嵌合している。そして、この下固定ピース１２２ａと下可動ピース１２２ｂとの間にカム機構が介設され、いわゆるグラビティヒンジが構成されている。また、上ヒンジピン１０４ａおよび下ヒンジピン（のヒンジピン）１０４ｂは、吊元縦框１１８の見込み方向の中間位置より浴室Ａ側に寄った位置（偏心位置）に配設されている。
【００５１】
戸先縦框１１７には、浴室Ａ側の見付け面に内ハンドル１２４が取り付けられ、脱衣室Ｂ側の見付け面に外ハンドル１２５が取り付けられている。また、戸先縦框１１７の中空部内には、内外両ハンドル１２４，１２５によって操作されるドア錠１２６が組み込まれている。吊元縦框１１８は、上端部に上ピンヒンジ１０４ａの上可動ピース１２１ｂが組み込まれ、下端部に下ピンヒンジ１０４ｂの下可動ピース１２２ｂが組み込まれている。また、吊元縦框１１８の上端部には、上可動ピース１２１ｂのヒンジピンを下動させて上固定ピース１２１ａから離脱させる離脱機構１２７が組み込まれている。
【００５２】
さらに、吊元縦框１１８の下端部には、後述する水返し部材４６Ａを起倒させる押上げ部材２６Ａが取り付けられている。より具体的には、吊元縦框１１８の下端部１２には、下可動ピース１２２ｂがその中空部に嵌合するように設けられており、下可動ピース１２２ｂの下框１１６側（吊元側にはピン孔が形成されている）に、脱衣室Ｂ側に突出するように押上げ部材２６Ａが固定されている。
【００５３】
上枠１１１は、鉛直部位１３１ａと水平部位１３１ｂとから成る断面略「Ｌ」字状の上枠本体１３１と、水平部位１３１ｂの見込み方向中間位置に下向き「Ｃ」字状に形成してヒンジ取付溝部１３２と、水平部位１３１ｂの脱衣室Ｂ側の端部を水平に延設した上枠見切り片１３３と、水平部位１３１ｂの脱衣室Ｂ側の端部から下方に延びる上シール取付部１３４とで、一体に形成されている。そして、ヒンジ取付溝部１３２には、上固定側ピース１２１ａが見付け方向に位置調節可能に取り付けられている。
【００５４】
各縦枠１１３は、見込み方向に長い方形の中空部を有する縦枠本体１３６と、縦枠本体１３６の脱衣室Ｂ側の端部を見込み方向に延設した縦枠見切り片１３７と、縦枠見切り片１３７の基部から内側の延びる縦シール取付部１３８とで、一体に形成されている。
【００５５】
下枠１１２は、浴室Ａ側に中空部を有し防水パン５に隣接した支持体５ａに支持された下枠本体１４０と、下枠本体１４０の中空部１４０ａの上面と防水パン５との間に渡してブリッジ片１４１と、下枠本体１４０の脱衣室Ｂ側に、下枠本体１４０の上部空間を覆うように起倒自在に設けた水返し部材４６Ａと、中空部１４０Ａの上面においてブリッジ片１４１および水返し部材４６Ａ間を埋めるように配設したスペーサ片１４２と、下枠本体１４０の脱衣室Ｂ側端部に揺動自在に設けた下枠見切り片１４３と、で構成されている。そして、スペーサ片１４２の吊元側の切欠き部分に下ピンヒンジ１０４ｂの下固定ピース１２２ａが装着（中空部１４０ａの上面に固定）されている。
【００５６】
下枠見切り片１４３は、下枠１１２において脱衣室床６にビス止め固定される部位であり、基部側を下枠本体１４０に揺動自在に係合している。水返し部材４６Ａは、脱衣室Ｂ側基部を下枠本体１４０に回動自在に軸支されており、詳細は後述するが、扉体１０３の開放時には水平姿勢に、閉塞時には先上がりに傾斜する起立姿勢との間で起倒する。そして、水平姿勢（倒込み位置）では、その先端がスペーサ片１４２の近傍まで延びており、直下に位置する下枠本体１４０の排水溝部１４４を閉蓋している。また、下枠見切り片１４３の基部と水返し部材４６Ａの基部との間には、両者間に掛け渡すように水平シール部材１４５が設けられている。
【００５７】
このように構成された下枠１１２は、ブリッジ片１４１、スペーサ片１４２、水返し部材４６Ａおよび下枠見切り片１４３の各上面が面一に配設され、且つこれを挟んで両側に位置する防水パン５および脱衣室床６との間で、略段差の無い床構造となっている。防水パン５から流れてくる排水は、扉体３の下端に設けられ、閉塞状態でブリッジ片１４１に密接する下シール部材１４７によりに止水される。一方、下シール部材１４７を越えて脱衣室Ｂ側に侵入する排水は、起立状態の水返し部材４６Ａに止水されて排水溝部１４４に流入する。この場合も、図示しないが、排水溝部１４４の下壁には、排水金具（目皿）を介して排水管が接続されており、排水溝部１４４で受けた排水は、この排水管に流下する。
【００５８】
ここで、図１２および図１３を参照して、第２実施形態における水切り部材４６Ａを主体とする下枠１１２廻りの止水構造について、詳細に説明する。第２実施形態の止水構造と第１実施形態の止水構造は、ほぼ同一の形態を有している。そこで、以下の説明では、主に異なる部分について説明する。上述したように、この実施形態では、押上げ部材２６Ａは、吊元縦框１１８が上記の浴室折戸１の縦框１４より広幅に形成されていることから、押上げ部材２６Ａは、吊元縦框１１８の下端部に設けられている。また、図１４に示すように、押上げ部材２６Ａの部材取付部７７は、吊元縦框１１８の中空部の厚みに合うように長めに形成され、括れ部７８は吊元縦框１１８の脱衣室Ｂ側を跨ぐ形状に形成されている。
【００５９】
この場合も、図１５および図１６に示すように、開放状態の扉体１０３を閉塞してゆくと、閉塞の最終段階で扉体に設けた押上げ部材２６Ａが、最初に水返し部材４６Ａに設けた起立ガイド６１に突き上げるように係合し、続いて押上げ部材２６Ａのしゃくり面７９ｂと、起立ガイド６１の上部しゃくり面８３および水返し部材４６Ａの下部しゃくり面７３ａとのカム作用により、押上げ部材２６Ａの前進（旋回）がばね８８に抗して水返し部材４６Ａを起立させてゆく。この場合も、相対的にみると、押上げ部材２６Ａのしゃくり面７９ｂの接触部分は、起立ガイド６１の上部しゃくり面８３をなぞるように斜め下方に移動し、続いて水返し部材４６Ａの下部しゃくり面７３ａを上から下に斜めになぞるように移動する。さらに、押上げ部材（押上げヘッド７９）２６Ａは、水返し部材４６Ａの肉厚部７３の下端を回り込んで水返し部材４６Ａの裏面に潜り込む。押上げ部材２６Ａの押上げヘッド７９が水返し部材４６Ａの裏面に潜り込むと、こんどは押上げ部材２６Ａの面取り部７９ｄが、水返し部材４６Ａの裏面に接触し水返し部材２６Ａを押し上げながら進んでゆく。
【００６０】
一方、閉塞状態から扉体１０３を開放してゆくと、水返し部材４６Ａの自重とばね８８のばね力とにより、水返し部材４６Ａは、押上げ部材２６Ａの後退に追従するようにして倒れこんでゆく。扉体１０３の開放動作がすすんで、押上げ部材４６Ａと起立ガイド６１との接触状態が断たれると、同時に水返し部材４６Ａの当て面７１ａが下枠本体１４０の段部１４０ｂに当接して、水返し部材４６Ａはばね８８による押圧状態を維持しつつ倒込み位置に達する。
【００６１】
以上のように、これら実施形態によれば、水返し部材４６，４６Ａが縦枠３３，１１３における脱衣室Ｂ側の見込み幅内に収まっているため、縦枠３３，１１３の脱衣室Ｂ側に位置する縦枠見切り片４１，１３７に、水返し部材４６，４６Ａの見付け方向両外端部をシールする端部シール部材６２を設けることができる。すなわち、水返し部材４６，４６Ａの各外端部と各縦枠３３，１１３との間をシールする端部シール部材６２を、脱衣室Ｂ側に突出させることなく、これを設けることができる。このため、端部シール部材６２が、歩行等の邪魔になることがない。
【００６２】
また、押上げ部材２６，２６Ａを、扉体３，１０３の吊元側の下端部に設けると共に、水返し部材４６，４６Ａの上面に押上げ部材２６，２６Ａに対応する起立ガイド６１を設け、押上げ部材２６，２６Ａが先に起立ガイド６１を押し上げるようにしているため、水返し部材４６，４６Ａの先端が周辺部材に対し突出していなくても、これを適切に起立させることができる。しかも、押上げ部材２６，２６Ａおよび起立ガイド６１が、扉体３，１０３の吊元側に配設されているため、水返し部材４６，４６Ａを含めこれらの部材が歩行等の邪魔になることがない。
【００６３】
さらに、扉体３，１０３がグラビティヒンジで開閉される構成になっているため、押上げ部材２６，２６Ａが、起立ガイド６１および水返し部材４６，４６Ａの下側に潜り込むようにしてこれらを押し上げることになり、水返し部材（およば起立ガイド６１）４６，４６Ａの起立動作を円滑に行うことができる。しかも、ばね８８により水返し部材４６，４６Ａを常時付勢するようにしているため、水返し部材４６，４６Ａの倒込み動作を確実に行わせることができる。
【００６４】
なお、本実施形態では、扉体の開閉に伴う押上げ部材の動きで、起立ガイドを介して水返し部材を直接的に起倒させるようにしているが、水返し部材が縦枠の見込み幅内に配設されている限り、各種の機構を介して水返し部材を間接的に起倒させる構成であってもよい。
【００６５】
【発明の効果】
以上のように、本発明の浴室建具の止水構造およびこれを備えた浴室建具によれば、起立位置にある水返し部材の両外端部の止水処理を、縦枠との間で簡単に行うことができる。したがって、止水処理用の部材が脱衣室側に突出することがなく、これが歩行の邪魔になることがなく、且つ脱衣室床の構造が複雑になることがない。
【図面の簡単な説明】
【図１】本発明の第１実施形態に係る浴室折戸の縦断面図である。
【図２】第１実施形態に係る浴室折戸の横断面図である。
【図３】第１実施形態に係る浴室折戸の下部を表した拡大縦断面図である。
【図４】第１実施形態に係る浴室折戸の吊元側を表した拡大横断面図である。
【図５】第１実施形態に係る押上げ部材の平面図（ａ）、縦断面図（ｂ）および正面図（ｃ）である。
【図６】第１実施形態に係る起立ガイドの平面図（ａ）、部分縦断面図（ｂ）および底面図（ｃ）である。
【図７】第１実施形態に係る端部シール部材の平面図（ａ）、正面図（ｂ）、底面図（ｃ）、側面図（ｄ）および背面図（ｅ）である。
【図８】第１実施形態に係る水返し部材廻りの側面視動作説明図である。
【図９】第１実施形態に係る水返し部材廻りの平面視動作説明図である。
【図１０】本発明の第２実施形態に係る浴室ドアの縦断面図である。
【図１１】第２実施形態に係る浴室ドアの横断面図である。
【図１２】第２実施形態に係る浴室ドアの下部を表した拡大縦断面図である。
【図１３】第２実施形態に係る浴室ドアの吊元側を表した拡大横断面図である。
【図１４】第２実施形態に係る押上げ部材の平面図（ａ）、縦断面図（ｂ）および正面図（ｃ）である。
【図１５】第２実施形態に係る水返し部材廻りの側面視動作説明図である。
【図１６】第２実施形態に係る水返し部材廻りの平面視動作説明図である。
【符号の説明】
１  浴室折戸、２  折戸枠、３  扉体、３ａ  左扉体、３ｂ  右扉体、５  防水パン、６  脱衣室床、１２  下框、２３ｂ  下ピンヒンジ、２６，２６Ａ  押上げ部材、３２  下枠、３３  縦枠、４１  縦枠見切り片、４４  下枠本体、４４ｂ  段部、４６，４６Ａ  水返し部材、６１  起立ガイド、６２  端部シール部材、７３ａ  下部被しゃくり面、７９  押上げヘッド、７９ｂ  しゃくり面、８３  上部被しゃくり面、８７  シールパッド、８８  ばね、９１  ストッパ部、１０１  浴室ドア、１０２  ドア枠、１０３  扉体、１０４ｂ  下ピンヒンジ、１１２  下枠、１１３  縦枠、１１６  下框、１１８  吊元縦框、１３７  縦枠見切り片、１４０  下枠本体、１４０ｂ  段部、Ａ  浴室、Ｂ  脱衣室
【図１】
2004339823.tif 000003
【図２】
2004339823.tif 000004
【図３】
2004339823.tif 000005
【図４】
2004339823.tif 000006
【図５】
2004339823.tif 000007
【図６】
2004339823.tif 000008
【図７】
2004339823.tif 000009
【図８】
2004339823.tif 000010
【図９】
2004339823.tif 000011
【図１０】
2004339823.tif 000012
【図１１】
2004339823.tif 000013
【図１２】
2004339823.tif 000014
【図１３】
2004339823.tif 000015
【図１４】
2004339823.tif 000016
【図１５】
2004339823.tif 000017
【図１６】
2004339823.tif 000018